【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
コンテンツ信号を入力する外部機器に接続された送信装置から、電力線を介して電力線通信信号に変換されたコンテンツ信号を受信、復調し、復調したコンテンツ信号をスピーカ及びモニターの少なくともいずれか一方に出力する受信装置であって、
送信装置に接続された外部機器を指定する指定手段と、
前記指定手段により指定された外部機器を操作する操作手段と、
前記指定手段により指定された外部機器を表わす指定信号及び前記操作手段により操作された操作指示を表わす操作信号を生成する信号生成手段と、
前記信号生成手段により生成された指定信号及び操作信号を電力線通信信号に変換し、電力線を介して送信装置に出力する出力手段と、
を備えることを特徴とする受信装置。
【請求項２】
請求項１に記載の受信装置において、
前記信号生成手段が生成する指定信号及び操作信号は、各々１バイトの信号であることを特徴とする受信装置。
【請求項３】
コンテンツ信号を、電力線を介して、スピーカ及びモニターの少なくともいずれか一方に接続された受信装置に送信する送信装置であって、
外部機器からコンテンツ信号を入力する複数の入力ポートを有する入力ポート手段と、
前記入力ポート手段から入力されたコンテンツ信号を電力線通信信号に変換し、電力線を介して受信装置に送信する送信手段と、
電力線通信信号に変換された、外部機器を指定する指定信号及び指定された外部機器を操作する操作信号を、電力線を介して受信装置から入力する入力手段と、
前記入力手段が入力した、電力線通信信号に変換された前記指定信号及び前記操作信号を復調する復調手段と、
前記復調手段により復調された前記指定信号に応じて前記入力ポート手段の入力ポートを切り換える制御をし、前記復調手段により復調された前記操作信号に基づいて指定された外部機器に遠隔操作信号を発信する制御をする制御手段と、
を備えることを特徴とする送信装置。
【請求項４】
請求項３に記載の送信装置において、
前記操作信号に対応した遠隔操作信号が記憶された記憶手段と、
前記遠隔操作信号を発信する発信手段とを更に備え、
前記制御手段は、前記復調手段により復調された前記操作信号に対応した遠隔操作信号を前記記憶手段から読み出し、当該遠隔操作信号を前記発信手段から発信する制御をすることを特徴とする送信装置。
【請求項５】
請求項３又は請求項４に記載の受信装置において、
前記入力手段から入力される前記指定信号及び前記操作信号は、各々１バイトの信号であることを特徴とする送信装置。
【請求項６】
コンテンツ信号を入力する外部機器に接続され、コンテンツ信号を電力線を介して送信する送信装置と、スピーカ及びモニターの少なくともいずれか一方から、電力線を介して受信したコンテンツ信号を出力する受信装置と、から構成される送受信システムであって、
前記受信装置は、
送信装置に接続された外部機器を指定する指定手段と、
前記指定手段により指定された外部機器を操作する操作手段と、
前記指定手段により指定された外部機器を表わす指定信号及び前記操作手段により操作された操作指示を表わす操作信号を生成する信号生成手段と、
前記信号生成手段により生成された指定信号及び操作信号を電力線通信信号に変換し、電力線を介して送信装置に出力する出力手段と、を備え、
前記送信装置は、
外部機器からコンテンツ信号を入力する複数の入力ポートを有する入力ポート手段と、
前記入力ポート手段から入力されたコンテンツ信号を電力線通信信号に変換し、電力線を介して受信装置に送信する送信手段と、
電力線通信信号に変換された、外部機器を指定する指定信号及び指定された外部機器を操作する操作信号を、電力線を介して受信装置から入力する入力手段と、
前記入力手段が入力した、電力線通信信号に変換された前記指定信号及び前記操作信号を復調する復調手段と、
前記復調手段により復調された前記指定信号に応じて前記入力ポート手段の入力ポートを切り換える制御をし、前記復調手段により復調された前記操作信号に基づいて指定された外部機器に遠隔操作信号を発信する制御をする制御手段と
を備えることを特徴とする送受信システム。
【請求項７】
コンテンツ信号を入力する外部機器に接続され、コンテンツ信号を電力線を介して送信する送信装置と、スピーカ及びモニターの少なくともいずれか一方から、電力線を介して受信したコンテンツ信号を出力する受信装置と、における送受信方法であって、
送信装置に接続された外部機器を指定するステップと、
指定された外部機器を操作するステップと、
指定された外部機器を表す指定信号及び操作された操作指示を表す操作信号を生成するステップと、
生成された指定信号及び操作信号を電力線通信信号に変換し、電力線を介して送信装置に出力するステップと、
入力されたコンテンツ信号を電力線通信信号に変換し電力線を介して受信装置に送信するステップと、
電力線通信信号に変換された、外部機器を指定する指定信号及び指定された外部機器を操作する操作信号を、電力線を介して受信装置から入力するステップと、
入力された電力線通信信号に変換された前記指定信号及び前記操作信号を復調するステップと、
復調された前記指定信号に応じて入力ポートを切り換える制御をし、復調された前記操作信号に基づいて指定された外部機器に遠隔操作信号を発信する制御をするステップと、
を備えることを特徴とする送受信方法。
【手続補正２】
【補正対象書類名】明細書
【補正対象項目名】発明の名称
【補正方法】変更
【補正の内容】
【発明の名称】受信装置、送信装置、送受信システム及び送受信方法
【手続補正３】
【補正対象書類名】明細書
【補正対象項目名】０００１
【補正方法】変更
【補正の内容】
【０００１】
本発明は、電力線を介して送信装置に接続された外部機器を操作する受信装置及び受信装置から電力線を介して入力された制御信号に基づいて接続された外部機器を制御する技術に関する。
【手続補正４】
【補正対象書類名】明細書
【補正対象項目名】０００９
【補正方法】変更
【補正の内容】
【０００９】
本発明は、上記の課題を解決するためになされたものであり、受信装置から送信装置を遠隔操作する際の操作性を向上させることができ、受信装置から送信装置へ伝送される制御信号の情報量を小さくすることができる受信装置、送信装置、送受信システム及び送受信方法を提供することを目的とする。
【手続補正５】
【補正対象書類名】明細書
【補正対象項目名】００１０
【補正方法】変更
【補正の内容】
【００１０】
上記の課題を解決するために、本発明の一態様における発明は、コンテンツ信号を入力する外部機器に接続された送信装置から、電力線を介して電力線通信信号に変換されたコンテンツ信号を受信、復調し、復調したコンテンツ信号をスピーカ及びモニターの少なくともいずれか一方に出力する受信装置であって、送信装置に接続された外部機器を指定する指定手段と、前記指定手段により指定された外部機器を操作する操作手段と、前記指定手段により指定された外部機器を表わす指定信号及び前記操作手段により操作された操作指示を表わす操作信号を生成する信号生成手段と、前記信号生成手段により生成された指定信号及び操作信号を電力線通信信号に変換し、電力線を介して送信装置に出力する出力手段と、を備えることを特徴とする。
【手続補正６】
【補正対象書類名】明細書
【補正対象項目名】００１１
【補正方法】変更
【補正の内容】
【００１１】
また、上記受信装置において、前記信号生成手段が生成する指定信号及び操作信号は、例えば、各々１バイトの信号である。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
また、本発明の一態様における発明は、コンテンツ信号を、電力線を介して、スピーカ及びモニターの少なくともいずれか一方に接続された受信装置に送信する送信装置であって、外部機器からコンテンツ信号を入力する複数の入力ポートを有する入力ポート手段と、前記入力ポート手段から入力されたコンテンツ信号を電力線通信信号に変換し、電力線を介して受信装置に送信する送信手段と、電力線通信信号に変換された、外部機器を指定する指定信号及び指定された外部機器を操作する操作信号を、電力線を介して受信装置から入力する入力手段と、前記入力手段が入力した、電力線通信信号に変換された前記指定信号及び前記操作信号を復調する復調手段と、前記復調手段により復調された前記指定信号に応じて前記入力ポート手段の入力ポートを切り換える制御をし、前記復調手段により復調された前記操作信号に基づいて指定された外部機器に遠隔操作信号を発信する制御をする制御手段と、を備えることを特徴とする。
【手続補正１０】
【補正対象書類名】明細書
【補正対象項目名】００１５
【補正方法】変更
【補正の内容】
【００１５】
また、上記送信装置において、前記操作信号に対応した遠隔操作信号が記憶された記憶手段と、前記遠隔操作信号を発信する発信手段とを更に備え、前記制御手段は、前記復調手段により復調された前記操作信号に対応した遠隔操作信号を前記記憶手段から読み出し、当該遠隔操作信号を前記発信手段から発信する制御をする。
【手続補正１１】
【補正対象書類名】明細書
【補正対象項目名】００１６
【補正方法】変更
【補正の内容】
【００１６】
また、本発明の一態様における発明は、コンテンツ信号を入力する外部機器に接続され、コンテンツ信号を電力線を介して送信する送信装置と、スピーカ及びモニターの少なくともいずれか一方から、電力線を介して受信したコンテンツ信号を出力する受信装置と、から構成される送受信システムであって、前記受信装置は、送信装置に接続された外部機器を指定する指定手段と、前記指定手段により指定された外部機器を操作する操作手段と、前記指定手段により指定された外部機器を表わす指定信号及び前記操作手段により操作された操作指示を表わす操作信号を生成する信号生成手段と、前記信号生成手段により生成された指定信号及び操作信号を電力線通信信号に変換し、電力線を介して送信装置に出力する出力手段と、を備え、前記送信装置は、外部機器からコンテンツ信号を入力する複数の入力ポートを有する入力ポート手段と、前記入力ポート手段から入力されたコンテンツ信号を電力線通信信号に変換し、電力線を介して受信装置に送信する送信手段と、電力線通信信号に変換された、外部機器を指定する指定信号及び指定された外部機器を操作する操作信号を、電力線を介して受信装置から入力する入力手段と、前記入力手段が入力した、電力線通信信号に変換された前記指定信号及び前記操作信号を復調する復調手段と、前記復調手段により復調された前記指定信号に応じて前記入力ポート手段の入力ポートを切り換える制御をし、前記復調手段により復調された前記操作信号に基づいて指定された外部機器に遠隔操作信号を発信する制御をする制御手段とを備えることを特徴とする。
また、本発明の一態様における発明は、コンテンツ信号を入力する外部機器に接続され、コンテンツ信号を電力線を介して送信する送信装置と、スピーカ及びモニターの少なくともいずれか一方から、電力線を介して受信したコンテンツ信号を出力する受信装置と、における送受信方法であって、送信装置に接続された外部機器を指定するステップと、指定された外部機器を操作するステップと、指定された外部機器を表す指定信号及び操作された操作指示を表す操作信号を生成するステップと、生成された指定信号及び操作信号を電力線通信信号に変換し、電力線を介して送信装置に出力するステップと、入力されたコンテンツ信号を電力線通信信号に変換し電力線を介して受信装置に送信するステップと、電力線通信信号に変換された、外部機器を指定する指定信号及び指定された外部機器を操作する操作信号を、電力線を介して受信装置から入力するステップと、入力された電力線通信信号に変換された前記指定信号及び前記操作信号を復調するステップと、復調された前記指定信号に応じて入力ポートを切り換える制御をし、復調された前記操作信号に基づいて指定された外部機器に遠隔操作信号を発信する制御をするステップと、を備えることを特徴とする。
【手続補正１２】
【補正対象書類名】明細書
【補正対象項目名】００１７
【補正方法】変更
【補正の内容】
【００１７】
本発明によれば、受信装置から送信装置を遠隔操作する際の操作性を向上させることができ、受信装置から送信装置へ伝送される制御信号の情報量を小さくすることができる受信装置、送信装置、送受信システム及び送受信方法を提供することができる。